(57)【要約】      （修正有）【課題】夏場の乾燥時に光線透過量が抑制されており、栽培物の葉焼けを抑制することができ、且つ、冬場の結露時に光線透過量が多く、太陽光が弱い冬場であっても太陽光線が十分に透過する農業用フィルムを提供する。【解決手段】少なくともＡ層３及び流滴層２を有する農業用フィルム１であって、（１）前記農業用フィルム１の流滴層２側の表面は、ＪＩＳＢ０６０１：２０１３に準拠して測定した算術平均粗さＲａが０．１〜３．０μｍであり、（２）前記流滴層２は、親水性無機フィラーを含有する、ことを特徴とする農業用フィルム１。【選択図】図１
2018164435.tif 000002
【特許請求の範囲】
【請求項１】
少なくともＡ層及び流滴層を有する農業用フィルムであって、
（１）前記農業用フィルムの流滴層側の表面は、ＪＩＳ  Ｂ０６０１：２０１３に準拠して測定した算術平均粗さＲａが０．１〜３．０μｍであり、
（２）前記流滴層は、親水性無機フィラーを含有する、
ことを特徴とする農業用フィルム。
【請求項２】
前記Ａ層は、メルトフローレートが異なる２種以上のポリオレフィン系樹脂を含有する、請求項１に記載の農業用フィルム。
【請求項３】
前記ポリオレフィン系樹脂は、エチレン−酢酸ビニル共重合体、低密度ポリエチレン及び直鎖状低密度ポリエチレンからなる群より選択される少なくとも１種である、請求項２に記載の農業用フィルム。
【請求項４】
前記流滴層は、前記親水性無機フィラー及びバインダー樹脂を含む、請求項１〜３のいずれかに記載の農業用フィルム。
【請求項５】
乾燥時のヘイズ値（Ｈｚｄ）と結露時のヘイズ値（Ｈｚｗ）との差（Ｈｚｄ−Ｈｚｗ）が１０％以上である、請求項１〜４のいずれかに記載の農業用フィルム。
【請求項６】
前記乾燥時のヘイズ値（Ｈｚｄ）が１０〜５０％である、請求項５に記載の農業用フィルム。
【請求項７】
前記結露時のヘイズ値（Ｈｚｗ）が２０％未満である、請求項５又は６に記載の農業用フィルム。
【請求項８】
前記Ａ層は、無機粒子を含有しない、請求項１〜７のいずれかに記載の農業用フィルム。
【請求項９】
少なくとも前記流滴層、前記Ａ層、Ｂ層及びＣ層をこの順に有し、
前記Ｂ層は、ポリオレフィン系樹脂を含む単層又は複数の層からなり、少なくとも１層に無機保温剤を含有し、
前記Ｃ層は、ポリオレフィン系樹脂を含む、
請求項１〜８のいずれかに記載の農業用フィルム。
【請求項１０】
請求項１〜９のいずれかに記載の農業用フィルムを有する農業用ハウス、農業用カーテン又は農業用トンネル。 
【発明の詳細な説明】
【技術分野】
【０００１】
本発明は、農業用フィルム、及び、農業用ハウス、農業用カーテン又は農業用トンネルに関する。
【背景技術】
【０００２】
従来、農業の分野では、農業用作物を栽培する場合、市場性及び生産性を高めるために、塩化ビニルフィルムや、ポリエチレン、エチレン−酢酸ビニル共重合体及びポリオレフィン系樹脂を主体とした特殊フィルム等の農業用フィルムにより被覆して有用作物を栽培する、ハウス栽培やトンネル栽培が盛んに行われている。
【０００３】
上述のハウス栽培等においては、特に夏場の高温障害として葉焼け現象が知られている。葉焼け現象とは、ハウス内に直達光線が多く入ることで栽培物の葉に強い光が当たり葉が焼けることを意味する。この葉焼け防止対策として、ハウスを酸化チタンなどで着色して直達光線量を低減する方法があるが、その場合には全光線透過率も低下してしまう。全光線透過率が低下するとハウス内への太陽光線の透過が少なくなり、作物自体の栽培に悪影響を及ぼすという問題がある。
【０００４】
また、冬場は太陽光が弱くなるため、ハウス内に太陽光線を透過させる必要がある。冬場にハウス内に太陽光線の透過量が少ないと、ハウス内の温度が低下し、作物の栽培に悪影響を及ぼすという問題がある。
【０００５】
このような問題を解消するための農業用フィルムとして、最外層及び最内層の少なくとも一層が、特定のエチレン・酢酸ビニル共重合体（Ａ）及び特定の低密度ポリエチレン（Ｂ）の混合物からなる混合物層と、他のオレフィン系樹脂とからなる多層構造をなす農業用フィルムが提案されている（特許文献１参照）。
【先行技術文献】
【特許文献】
【０００６】
【特許文献１】特許第３２１９３１９号公報
【発明の概要】
【発明が解決しようとする課題】
【０００７】
しかしながら、上述の農業用フィルムは、夏場と冬場との上記問題を同時に解決することについては十分に検討されていない。上述の農業用フィルムでは、冬場にハウス内を保温すると、ハウス内の空気中の水分により結露を生じ、太陽光が乱反射してハウス内に太陽光が透過し難いという問題がある。
【０００８】
また、夏場においても直達光線を低減するための表面形状が十分に検討されておらず、上述の農業用フィルムでは、夏場の直達日光により葉焼けが生じてしまうという問題がある。
【０００９】
従って、夏場の乾燥時に光線透過量が抑制され、且つ、冬場の結露時に光線透過量が多い農業用フィルムの開発が求められている。
【００１０】
本発明は、上記の問題に鑑みてなされたものであり、夏場の乾燥時に光線透過量が抑制されており、栽培物の葉焼けを抑制することができ、且つ、冬場の結露時に光線透過量が多く、太陽光が弱い冬場であっても太陽光線が十分に透過する農業用フィルムを提供することを目的とする。
【課題を解決するための手段】
【００１１】
本発明者等は、上記目的を達成すべく鋭意研究を重ねた結果、少なくともＡ層及び流滴層を有する農業用フィルムにおいて、上記農業用フィルムの流滴層側の表面の、ＪＩＳ  Ｂ０６０１：２０１３に準拠して測定した算術平均粗さＲａが０．１〜３．０μｍであり、上記流滴層が親水性無機フィラーを含有する農業用フィルムによれば、上記目的を達成できることを見出し、本発明を完成するに至った。
【００１２】
即ち、本発明は、下記の農業用フィルムに関する。
１．少なくともＡ層及び流滴層を有する農業用フィルムであって、
（１）前記農業用フィルムの流滴層側の表面は、ＪＩＳ  Ｂ０６０１：２０１３に準拠して測定した算術平均粗さＲａが０．１〜３．０μｍであり、
（２）前記流滴層は、親水性無機フィラーを含有する、
ことを特徴とする農業用フィルム。
２．前記Ａ層は、メルトフローレートが異なる２種以上のポリオレフィン系樹脂を含有する、項１に記載の農業用フィルム。
３．前記ポリオレフィン系樹脂は、エチレン−酢酸ビニル共重合体、低密度ポリエチレン及び直鎖状低密度ポリエチレンからなる群より選択される少なくとも１種である、項２に記載の農業用フィルム。
４．前記流滴層は、前記親水性無機フィラー及びバインダー樹脂を含む、項１〜３のいずれかに記載の農業用フィルム。
５．乾燥時のヘイズ値（Ｈｚｄ）と結露時のヘイズ値（Ｈｚｗ）との差（Ｈｚｄ−Ｈｚｗ）が１０％以上である、項１〜４のいずれかに記載の農業用フィルム。
６．前記乾燥時のヘイズ値（Ｈｚｄ）が１０〜５０％である、項５に記載の農業用フィルム。
７．前記結露時のヘイズ値（Ｈｚｗ）が２０％未満である、項５又は６に記載の農業用フィルム。
８．前記Ａ層は、無機粒子を含有しない、項１〜７のいずれかに記載の農業用フィルム。
９．少なくとも前記流滴層、前記Ａ層、Ｂ層及びＣ層をこの順に有し、
前記Ｂ層は、ポリオレフィン系樹脂を含む単層又は複数の層からなり、少なくとも１層に無機保温剤を含有し、
前記Ｃ層は、ポリオレフィン系樹脂を含む、
項１〜８のいずれかに記載の農業用フィルム。
１０．項１〜９のいずれかに記載の農業用フィルムを有する農業用ハウス、農業用カーテン又は農業用トンネル。
【発明の効果】
【００１３】
本発明の農業用フィルムは、夏場の乾燥時に光線透過量が抑制されており、栽培物の葉焼けを抑制することができ、且つ、冬場の結露時に光線透過量が多く、太陽光が弱い冬場であっても太陽光線が十分に透過するので、農業用作物の栽培に好適に用いることができる。
【図面の簡単な説明】
【００１４】
【図１】本発明の農業用フィルムの層構成の一例を示す断面図である。
【図２】本発明の農業用フィルムの層構成の一例を示す断面図である。
【発明を実施するための形態】
【００１５】
本発明の農業用フィルムは、少なくともＡ層及び流滴層を有する農業用フィルムであって、（１）上記農業用フィルムの流滴層側の表面は、ＪＩＳ  Ｂ０６０１：２０１３に準拠して測定した算術平均粗さＲａが０．１〜３．０μｍであり、（２）上記流滴層は、親水性無機フィラーを含有することを特徴とする。
【００１６】
上記農業用フィルムは、流滴層側の表面が、ＪＩＳ  Ｂ０６０１：２０１３に準拠して測定した算術平均粗さＲａが０．１〜３．０μｍであるので、ヘイズ値が高く、夏場に直達光線のハウス等の内部への透過が抑制されるので、葉焼けが抑制される。また、上記農業用フィルムは、流滴層側の表面の算術平均粗さＲａが上述の範囲であることと、流滴層が親水性無機フィラーを含有することとがあいまって、当該算術平均粗さＲａを示す面がハウス等の内側になるように展張することで、冬場の結露時に農業用フィルムの表面の凹凸に水が充填されて平滑となり、ヘイズ値が低くなる。このため、上記農業用フィルムは冬場の結露時に光線透過量が多くなり、太陽光が弱い冬場であっても太陽光線が十分に透過する。以上より、本発明の農業用フィルムは、夏場の乾燥時に光線透過量が抑制され、且つ、冬場の結露時に光線透過量が多くなり、これらの特性を両立することができる。
【００１７】
以下、本発明の農業用フィルムについて詳細に説明する。
【００１８】
本発明の農業用フィルムの層構成は、少なくともＡ層及び流滴層を有していれば特に限定されない。図１及び２に、本発明の農業用フィルムの層構成を示す。図１及び２は、本発明の農業用フィルムの層構成の一例を示す断面図である。図１及び２において、本発明の農業用フィルム１は、Ａ層３の片面に流滴層２が形成されており、農業用フィルム１の表面に流滴層２が形成されている。
【００１９】
本発明の農業用フィルムは、図１のようにＡ層及び流滴層のみを有する層構成であってもよい。また、好適な層構成としては、図２のように、少なくとも流滴層、Ａ層、Ｂ層及びＣ層をこの順に有する層構成が挙げられる。以下、この好適な層構成を例に挙げて各層について説明する。なお、本発明の農業用フィルムにおいて、流滴層側の表面が上記算術平均粗さＲａを示していればよく、当該算術平均粗さＲａを示す面がハウス等への展張時にハウス等の内面となる面である。
【００２０】
本発明の農業用フィルムは、流滴層側の表面の、ＪＩＳ  Ｂ０６０１：２０１３に準拠して測定した算術平均粗さＲａが０．１〜３．０μｍである。Ｒａが０．１μｍ未満であると、夏場の直達光線を低減することができず、３．０μｍを超えると、冬場の結露時にヘイズ値が十分に低下せず光線透過量が少なくなり、太陽光が弱い冬場に太陽光線を十分に透過できない。上記Ｒａは０．３〜２．０μｍが好ましく、０．５〜１．０μｍがより好ましい。
【００２１】
（流滴層）
流滴層は、Ａ層上（Ｂ層が形成される側とは反対側）に形成され、本発明の農業用フィルムがハウス等に展張される際に、ハウス等の内側に位置する層である。
【００２２】
流滴層は、親水性無機フィラーを含有する。親水性無機フィラーとしては、冬場の結露時に農業用フィルムの表面の凹凸に水を充填して平滑とし、ヘイズ値を低下させることができれば特に限定されず、シリカ、酸化チタン、二酸化チタン、タルク等が挙げられる。これらの中でも、冬場の結露時により一層ヘイズ値を低下させることができる点で、シリカが好ましい。
【００２３】
上記シリカとしては、コロイダルシリカ、粉末状シリカが挙げられる。これらの中でも、冬場の結露時により一層ヘイズ値を低下させることができる点で、コロイダルシリカが好ましい。
【００２４】
コロイダルシリカは、シリカ粒子が液体に分散してコロイドを形成した状態のものである。コロイダルシリカに含まれるシリカ粒子の平均一次粒子径は特に限定されず、１〜１００ｎｍが好ましく、４〜１００ｎｍがより好ましく、２０〜８０ｎｍが更に好ましく、４０〜６０ｎｍが特に好ましい。
【００２５】
流滴層に用いられるコロイダルシリカとしては、球状のシリカ粒子の一次粒子が液体に分散してコロイドを形成しているコロイダルシリカ、シリカ粒子の一次粒子が環状に結合した二次粒子を含むネックレス状コロイダルシリカ、シリカ粒子の一次粒子が数個ないし十数個鎖状に結合した二次粒子を含み、環状構造を有しない二次粒子を含む鎖状コロイダルシリカ等のいずれの形態のコロイダルシリカを用いてもよい。これらの中でも、球状のシリカ粒子の一次粒子が液体に分散してコロイドを形成しているコロイダルシリカをより好適に用いることができる。
【００２６】
上記シリカ粒子の一次粒子が液体に分散してコロイドを形成しているコロイダルシリカの市販品としては、日産化学工業株式会社製コロイダルシリカ  商品名：「ＳＴ―ＸＳ」（平均粒子径４〜６ｎｍ）、「ＳＴ−Ｓ」（平均粒子径８〜１１ｎｍ）、「ＳＴ−３０」（平均粒子径１０〜１５ｎｍ）、「ＳＴ−５０」（平均粒子径２０〜２５ｎｍ）、「ＳＴ−２０Ｌ」（平均粒子径４０〜５０ｎｍ）、「ＳＴ−ＸＬ」（平均粒子径４０〜６０ｎｍ）等が挙げられる。また、上記ネックレス状コロイダルシリカの市販品としては、日産化学工業株式会社製ネックレス状コロイダルシリカ  商品名：「ＳＴ−ＰＳ−Ｓ」、「ＳＴ−ＰＳ−Ｍ」、「ＳＴ−ＰＳ−ＳＯ」、「ＳＴ−ＰＳ−ＭＯ」、「ＳＴ−ＰＳ−Ｓ−ＡＫ」が挙げられる。
【００２７】
流滴層中の上記親水性無機フィラーの含有量は、後述するバインダー樹脂を１００質量部として、１００〜３００質量部が好ましく、１５０〜２５０質量部がより好ましい。親水性無機フィラーの含有量を上記範囲とすることにより、冬場の結露時に、より一層ヘイズ値を低下させることができる。
【００２８】
流滴層中の上記親水性無機フィラーの含有量は、後述する流滴層を形成するための防曇性組成物を１００質量％として２．０〜１２．０質量％が好ましく、３．０〜８．０質量％がより好ましい。親水性無機フィラーの含有量を上記範囲とすることにより、冬場の結露時に、より一層ヘイズ値を低下させることができる。
【００２９】
上記流滴層は、バインダー樹脂を含有することが好ましい。バインダー樹脂は、親水性バインダー樹脂、疎水性バインダー樹脂のいずれであってもよい。
【００３０】
上記親水性バインダー樹脂としては、ポリビニルアルコール、エチレン−ビニルアルコール共重合体、酢酸ビニル系水溶性樹脂、ポリエチレンオキサイド、セルロースアシレート、ポリエチレングリコール、ポリビニルピロリドン、ポリアクリルアミド、ポリビニルブチラール、ポリエーテルエステルアミド、ポリ（Ｎ−メチロールアクリルアミド）、ヒドロキシエチルセルロース、メチルセルロース、ヒドロキシプロピルセルロース、カルボキシメチルセルロースなどの変性セルロース、水溶性ポリエステル樹脂、水溶性ポリビニルアセタール、ポリ−Ｎ−ビニルアセトアミド、ポリアクリルアミド、ポリアクリロイルモルホリン、ポリヒドロキシアクリルアクリレート、ポリアクリル酸、ポリエーテル系材料等が挙げられる。
【００３１】
上記疎水性バインダー樹脂としては、アクリル系樹脂、ウレタン系樹脂、エポキシ樹脂、ポリエステル樹脂等が挙げられるが、特にアクリル系樹脂が好適に用いられる。
【００３２】
上記アクリル系樹脂としては、例えば、（メタ）アクリル系単量体の単独又は共重合体、（メタ）アクリル系単量体と他の共重合可能な単量体との共重合体が挙げられる。なお、本明細書において、「（メタ）アクリル系単量体」は、アクリル系単量体又はメタアクリル系単量体を意味し、他の（メタ）と記載された部分についても同様である。
【００３３】
上記（メタ）アクリル系単量体としては、具体的には、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｔ−ブチル（メタ）アクリレート、ｉ−ブチル（メタ）アクリレート、ｎ−ヘキシル（メタ）アクリレート、ｎ−オクチル（メタ）アクリレート、２−エチルヘキシル（メタ）アクリレート、シクロヘキシル（メタ）アクリレート、ベンジル（メタ）アクリレート、フェニル（メタ）アクリレート、ノニル（メタ）アクリレート、デシル（メタ）アクリレート、ドデシル（メタ）アクリレート、ステアリル（メタ）アクリレート等のアルキル（メタ）アクリレート；２−ヒドロキシエチル（メタ）アクリレート、２−ヒドロキシプロピル（メタ）アクリレート、４−ヒドロキシブチル（メタ）アクリレート、グリセロールモノ（メタ）アクリレート、グリシジル（メタ）アクリレート等の官能基含有（メタ）アクリレート；（メタ）アクリルアミド等が挙げられる。これらの単量体は、１種を単独で又は２種以上を併用することができる。
【００３４】
上記（メタ）アクリル系単量体と共重合可能な他の単量体としては、具体的には、スチレン、α−メチルスチレン等の芳香族ビニル単量体；ビニルピリジン、ビニルアルコール、ビニルイミダゾール、ビニルピロリドン、酢酸ビニル、１−ビニルイミダゾール等のビニル単量体；モノメチルイタコネート、モノエチルイタコネート等のイタコン酸エステル；モノメチルフマレート、モノエチルフマレート、モノプロピルフマレート、モノブチルフマレート等のフマル酸エステル；及びモノメチルマレート、モノエチルマレート、モノプロピルマレート、モノブチルマレート等のマレイン酸エステルが挙げられる。これらの単量体は、１種を単独で又は２種以上を併用することができる。
【００３５】
上記ウレタン系樹脂としては、例えば、ポリエーテル系、ポリエステル系、ポリカーボネート系のアニオン性ポリウレタン樹脂を用いることができる。これらのウレタン系樹脂は、水性組成物、又はエマルジョンの形態で用いてもよい。
【００３６】
上記ウレタン系樹脂としては、Ａ層との密着性、耐水性及び表面強度（耐傷性）に優れる点でポリカーボネート系のアニオン性ポリウレタン樹脂のエマルジョンが好ましく、シラノール基を有するポリカーボネート系のアニオン性ポリウレタン樹脂のエマルジョンがより好ましい。これらのウレタン系樹脂は、１種または２種以上を組み合わせて使用してもよい。
【００３７】
流滴層中の上記バインダー樹脂の含有量は、後述する流滴層を形成するための防曇性組成物を１００質量％として０．５〜５質量％が好ましく、１〜３質量％がより好ましい。バインダー樹脂の含有量を上記範囲とすることにより、冬場の結露時に、より一層ヘイズ値を低下させることができ、且つ、本発明の農業用フィルムの表面により一層優れた耐傷性を付与することができる。
【００３８】
上記流滴層において、親水性無機フィラーの質量（Ｍｆ）と、バインダー樹脂の質量（Ｍｂ）との質量比（Ｍｆ／Ｍｂ）は、１．５０〜３．５０が好ましく、１．５０〜３．００がより好ましく、１．６０〜２．５０が更に好ましい。Ｍｆ／Ｍｂを上記範囲とすることにより、流滴層が、より一層優れた透明性及び耐水性を示すことができる。
【００３９】
上記流滴層の厚みは、０．１〜２．０μｍが好ましく、０．３〜１．５μｍがより好ましく、０．５〜１．０μｍが更に好ましい。流滴層の厚みが上記範囲であることにより、より一層優れた流滴性を示すことができる。
【００４０】
流滴層は、当該流滴層を形成するための防曇性組成物を、流滴層を形成する面上に塗布し、乾燥させることにより形成される。防曇性組成物としては、上記親水性無機フィラーを含有していれば特に限定されず、例えば、上記親水性無機フィラー、上記バインダー樹脂、界面活性剤及び分散媒を含有する防曇性組成物が挙げられる。以下、防曇性組成物の成分のうち、上記親水性無機フィラー及び上記バインダー樹脂以外の成分について説明する。
【００４１】
上記防曇性組成物は、界面活性剤を含有していてもよい。上記界面活性剤としては、公知の種々の非イオン系界面活性剤、アニオン系界面活性剤、カチオン系界面活性剤等を始めとする、多価アルコールと高級脂肪酸類とから成る多価アルコール部分エステル系のもの、シリコーン系界面活性剤、フッ素系界面活性剤が挙げられる。これらの中でも、防曇性組成物に高いレベリング性を付与でき、防曇性組成物を用いて形成した流滴層に高い流滴性を付与できることから、非イオン性界面活性剤又はシリコーン系界面活性剤が好ましく、シリコーン系界面活性剤がより好ましい。これらは１種類単独で使用してもよいし、２種類以上を併用して使用してもよいが、併用する場合は、非イオン性界面活性剤又はシリコーン系界面活性剤を少なくとも含むことが好ましい。
【００４２】
上記シリコーン系界面活性剤の具体例としては、例えば、ジメチルシリコーンオイル、メチルハイドロジェンシリコーンオイル、メチルフェニルシリコーンオイル、アミノ変性シリコーンオイル、アルキル変性シリコーンオイル、フェニル変性シリコーンオイル、カルボキシル変性シリコーンオイル、高級脂肪酸変性シリコーンオイル、エポキシ変性シリコーンオイル、ビニル基含有シリコーンオイル、アルコール変性シリコーンオイル、ポリエーテル変性シリコーンオイル、アルキル・ポリエーテル変性シリコーンオイル、フッ素変性シリコーンオイル、アルコキシシラン、反応性シロキサンオリゴマー、及びこれらの構造を持つシリコーンエラストマー等が挙げられる。これらは、単独で用いても２種以上を併用してもよい。これらの中でも、防曇性組成物に高いレベリング性を付与でき、防曇性組成物を用いて形成した流滴層に高い防曇性を付与できる点で、ポリエーテル変性シリコーンオイルが好ましい。
【００４３】
上記非イオン系界面活性剤の具体例としては、例えば、ソルビタンモノステアレート、ソルビタンモノミリステート、ソルビタンモノパルミテート、ソルビタンモノベヘネート、ソルビタンとアルキレングリコールの縮合物と脂肪酸とのエステル等のソルビタン系界面活性剤；グリセリンモノパルミテート、グリセリンモノステアレート、グリセリンモノラウレート、ジグリセリンモノパルミテート、グリセリンジパルミテート、グリセリンジステアレート、ジグリセリンモノパルミテート・モノステアレート、トリグリセリンモノステアレート、トリグリセリンジステアレートあるいはこれらのアルキレンオキシド付加物等のグリセリン系界面活性剤；ポリエチレングリコールモノステアレート、ポリエチレングリコールモノパルミテート、ポリエチレングリコールアルキルフェニルエーテル等のポリエチレングリコール系界面活性剤；トリメチロールプロパンモノステアレートなどのトリメチロールプロパン系界面活性剤；ペンタエリスリトールモノパルミテート、ペンタエリスリトールモノステアレート等のペンタエリスリトール系界面活性剤；アルキルフェノールのアルキレンオキシド付加物；ソルビタン／グリセリンの縮合物と脂肪酸とのエステル；ソルビタン／アルキレングリコールの縮合物と脂肪酸とのエステル；ジグリセリンジオレートナトリウムラウリルサルフェート；ドデシルベンゼンスルホン酸ナトリウム；セチルトリメチルアンモニウムクロライド；ドデシルアミン塩酸塩；ラウリン酸ラウリルアミドエチルリン酸塩；トリエチルセチルアンモニウムイオダイド；オレイルアミノジエチルアミン塩酸塩；ドデシルピリジニウム塩等やそれらの異性体；アセチレンジアルコール及びそのアルキレンオキシド付加物等を含むものが挙げられる。これらの中でも、表面張力を特に低下させることができる点で、アセチレンジアルコール及びそのアルキレンオキシド付加物が好ましい。
【００４４】
上記防曇性組成物において、上記界面活性剤の含有量（２種類以上併用する場合は、合計量）は、上記親水性無機フィラーと上記バインダー樹脂との合計１００質量部に対して、１．０〜１５．０質量部が好ましく、１．２〜５．０質量部がより好ましく、１．５〜３．５質量部が更に好ましい。界面活性剤の含有量を上述の範囲とすることで、上記防曇性組成物により形成された流滴層が優れたレベリング性を示すことができる。
【００４５】
上記親水性無機フィラー、バインダー樹脂及び界面活性剤は、通常市販されている製品そのもの、又は、水等の分散媒に分散された製品、通常市販されている粉末等を水等の分散媒に分散させたもののいずれを用いてもよい。
【００４６】
上記防曇性組成物は、分散媒を含有していてもよい。すなわち、上記防曇性組成物は、上記コロイダルシリカ、並びに、必要に応じて上記バインダー樹脂、上記界面活性剤及び後述する他の成分が、分散媒中に分散された防曇性組成物であってもよい。分散媒としては、水、水を含む水混合性溶媒等が挙げられ、具体的には、水道水、脱イオン水、純水等の水；メチルアルコール、エチルアルコール、イソプロピルアルコール等の一価アルコール類；エチレングリコール、ジエチレングリコール、グリセリン等の多価アルコール類；ベンジルアルコール等の環式アルコール類；セロソルブアセテート類；ケトン類等が挙げられる。これらの分散媒は、水単独で用いるか、又は、水とそれ以外の溶媒を混合して用いることが望ましい。
【００４７】
本発明の防曇性組成物は、上記コロイダルシリカ及びバインダー樹脂を含有していれば、更に、必要に応じて紫外線吸収剤、光安定剤、酸化防止剤、滑剤、熱安定剤、帯電防止剤等の他の成分を通常の量で配合することができる。
【００４８】
紫外線吸収剤としては、例えばベンゾトリアゾール系、ベンゾエート系、ベンゾフェノン系、シアノアクリレート系、フェニルサリシレート系等の紫外線吸収剤が挙げられる。中でも、ベンゾフェノン系紫外線吸収剤及び／又はベンゾトリアゾール系紫外線吸収剤が好適に用いられる。
【００４９】
光安定剤としては、防曇性組成物に通常配合される種々の化合物を使用することができる。具体的には、例えば、４−アセトキシ−２，２，６，６−テトラメチルピペリジン、ビス（２，２，６，６−テトラメチル−４−ピペリジン）アジペート、トリス（２，２，６，６−テトラメチル−４−ピペリジル）ベンゼン−１，３，５−トリカルボキシレート等のヒンダードアミン系化合物が挙げられる。
【００５０】
酸化防止剤としては、２，６−ジ−ｔｅｒｔ−ブチル−４−メチルフェノール、２，２’−メチレンビス（６−ｔｅｒｔ−ブチル−４−エチルフェノール）、ジラウリルチオジプロピオネート等が挙げられる。 
【００５１】
滑剤ないし熱安定剤としては、例えばポリエチレンワックス、流動パラフィン、ビスアマイド、ステアリン酸、ステアリン酸亜鉛、脂肪族アルコール、ステアリン酸カルシウム、ステアリン酸バリウム、リシノール酸バリウム、ジブチル錫ジラウレート、ジブチル錫ジマレート、有機リン酸金属塩、有機ホスファイト化合物、フェノール類、β−ジケトン化合物等が挙げられる。
【００５２】
上記他の成分は、それぞれ１種または２種以上を組合せて使用することができる。上記他の成分のそれぞれの配合量は、流滴層の性能を低下させない範囲とすることが好ましく、通常は、親水性無機フィラーの固形分、バインダー樹脂の固形分、界面活性剤、及び分散媒の合計を１００質量部として、合計１０質量部以下の範囲で選択することができる。
【００５３】
（Ａ層）
Ａ層は、その上側（Ｂ層が形成される側とは反対側）に上記流滴層が形成される層である。
【００５４】
Ａ層は、ＪＩＳ  Ｂ０６０１：２０１３に準拠して測定した表面の算術平均粗さＲａが０．１〜３．０μｍであることが好ましい。Ａ層のＲａが上記範囲であることにより、Ａ層の表面形状に追従するように上記流滴層を形成すれば、流滴層の表面のＲａが上記範囲となり、本発明の農業用フィルムの流滴層側の表面のＲａを０．１〜３．０μｍに容易に調整することができる。上記Ａ層のＲａは０．３〜２．０μｍが好ましく、０．５〜１．０μｍがより好ましい。
【００５５】
Ａ層は、ポリオレフィン系樹脂を含有していてもよい。ポリオレフィン系樹脂としては特に限定されず、エチレンまたはα−オレフィンの単独重合体、エチレンとα−オレフィンとの共重合体、エチレンまたはα−オレフィンを主成分とする異種単量体との共重合体、エチレンまたはα−オレフィンと共役ジエンまたは非共役ジエン等の多不飽和化合物、アクリル酸、メタクリル酸、酢酸ビニル等との共重合体等を用いることができ、例えば、高密度、低密度又は直鎖状低密度ポリエチレン、ポリプロピレン、エチレン−プロピレン共重合体、エチレン−ブテン共重合体、エチレン−４−メチル−１−ペンテン共重合体、エチレン−酢酸ビニル共重合体（ＥＶＡ）、エチレン−アクリル酸共重合体等が挙げられる。これらのうち、低密度ポリエチレン、直鎖状低密度ポリエチレン、エチレン−酢酸ビニル共重合体が好ましく、直鎖状低密度ポリエチレン、エチレン−酢酸ビニル共重合体がより好ましい。ポリオレフィン系樹脂として上記樹脂を用いることで、農業用フィルムがより一層優れた透明性、耐候性を示すことができ、農業用フィルムを低価格とすることができる。
【００５６】
また、本発明において、ポリオレフィン系樹脂の少なくとも一成分としてメタロセン触媒で共重合して得られるエチレン−α−オレフィン共重合樹脂を使用することができる。これは、通常、メタロセンポリエチレンといわれているものであり、エチレンとブテン−１、ヘキセン−１、４−メチルペンテン−１、オクテンなどのα−オレフィンとの共重合体である。
【００５７】
ポリオレフィン系樹脂としてエチレン−α−オレフィン共重合体を用いる場合、当該エチレン−α−オレフィン共重合体のＪＩＳ−Ｋ７２１０により測定されるメルトフローレート（ＭＦＲ）は、０．０１〜５０ｇ／１０分が好ましく、０．１〜４０ｇ／１０分がより好ましく、０．２〜３０ｇ／１０分が更に好ましく、０．３〜２０ｇ／１０分が特に好ましい。該ＭＦＲを上述の範囲に設定することにより、Ａ層の表面の算術平均粗さＲａを調整し易くなり、本発明の農業用フィルムの流滴層側の表面のＲａを０．１〜３．０μｍに容易に調整することができる。また、該ＭＦＲを上述の範囲に設定することにより、成形時（製膜時）のフィルムの蛇行及び成形機への負荷を減らすことができるため成形性を高めることができる。
【００５８】
上記エチレン−α−オレフィン共重合体のＪＩＳ  Ｋ７１１２により測定される密度は、０．８８０〜０．９３０ｇ／ｃｍ３が好ましく、０．８９０〜０．９２０ｇ／ｃｍ３がより好ましい。該密度を好ましい範囲に設定することにより、農業用フィルムの透明性を確保し易くなるとともに、表面のべたつきを減らしてブロッキングを抑制し易くなる。
【００５９】
上記エチレン−α−オレフィン共重合体のゲルパーミュレーションクロマトグラフィー（ＧＰＣ）によって求められる分子量分布（重量平均分子量／数平均分子量）は０．５〜３．５が好ましく、１．０〜３．０がより好ましい。該分子量分布を好ましい範囲に設定することにより、成形時（製膜時）のフィルムの蛇行を減らして成形性を高めることができるとともに、農業用フィルムの機械的強度を確保し易くなる。
【００６０】
ポリオレフィン系樹脂として直鎖状低密度ポリエチレンを用いる場合、当該直鎖状低密度ポリエチレンのＪＩＳ−Ｋ７２１０により測定されるメルトフローレート（ＭＦＲ）は、０．０１〜５０ｇ／１０分が好ましく、０．１〜４０ｇ／１０分がより好ましく、０．２〜３０ｇ／１０分が更に好ましく、０．３〜２０ｇ／１０分が特に好ましく、１．０〜２．５ｇ／１０分が最も好ましい。該ＭＦＲを上述の範囲に設定することにより、Ａ層の表面の算術平均粗さＲａを調整し易くなり、本発明の農業用フィルムの流滴層側の表面のＲａを０．１〜３．０μｍに容易に調整することができる。また、該ＭＦＲを上述の範囲に設定することにより、成形時（製膜時）のフィルムの蛇行及び成形機への負荷を減らすことができるため成形性を高めることができる。
【００６１】
上記直鎖状低密度ポリエチレンのＪＩＳ  Ｋ７１１２により測定される密度は、０．８８０〜０．９３０ｇ／ｃｍ３が好ましく、０．８９０〜０．９２５ｇ／ｃｍ３がより好ましい。該密度を好ましい範囲に設定することにより、農業用フィルムの透明性が確保し易いとともに、表面のべたつきを減らしてブロッキングを抑制し易くなる。
【００６２】
ポリオレフィン系樹脂としてエチレン−酢酸ビニル共重合体を用いる場合、当該酢酸ビニル共重合体のＪＩＳ−Ｋ７２１０により測定されるメルトフローレート（ＭＦＲ）は、０．０１〜５０ｇ／１０分が好ましく、０．１〜４０ｇ／１０分がより好ましく、０．２〜３０ｇ／１０分が更に好ましく、０．３〜２０ｇ／１０分が特に好ましく、０．５〜１５ｇ／１０分が最も好ましい。該ＭＦＲを上述の範囲に設定することにより、Ａ層の表面の算術平均粗さＲａを調整し易くなり、本発明の農業用フィルムの流滴層側の表面のＲａを０．１〜３．０μｍに容易に調整することができる。また、該ＭＦＲを上述の範囲に設定することにより、成形時（製膜時）のフィルムの蛇行及び成形機への負荷を減らすことができるため成形性を高めることができる。
【００６３】
上記エチレン−酢酸ビニル共重合体のＪＩＳ  Ｋ７１１２により測定される密度は、０．９１０〜０．９４０ｇ／ｃｍ３が好ましく、０．９２０〜０．９３５ｇ／ｃｍ３がより好ましい。該密度を好ましい範囲に設定することにより、農業用フィルムの透明性が確保し易いとともに、表面のべたつきを減らしてブロッキングを抑制し易くなる。
【００６４】
上記エチレン−酢酸ビニル共重合体は、酢酸ビニル含有量が１〜５０質量％の範囲が好ましく、１〜３０質量％の範囲がより好ましく、２〜２０質量％の範囲が更に好ましく、３〜１５質量％の範囲が特に好ましい。該酢酸ビニル含有量を好ましい範囲に設定することにより、農業用フィルムの硬さを好適化することができるため、ハウスへの展張時にシワや弛みの発生を効果的に抑制することができる。また、夏季の高温下でも農業用フィルムの弛みを抑制することができるため、弛みによるバタツキやハウス構造体との擦れ等による破れを抑制し易くなる。
【００６５】
上記ポリオレフィン系樹脂は、１種単独で用いてもよいし、２種以上を混合して用いてもよい。
【００６６】
Ａ層は、ＪＩＳ−Ｋ７２１０により測定されるメルトフローレートが異なる２種以上のポリオレフィン系樹脂を含有することが好ましい。当該構成とすることにより、Ａ層の表面の算術平均粗さＲａを調整し易くなり、上記Ａ層の表面形状に追従するように流滴層を形成すれば、流滴層の表面のＲａが上記範囲となり、本発明の農業用フィルムの流滴層側の表面のＲａを０．１〜３．０μｍに容易に調整することができる。
【００６７】
Ａ層が、ＪＩＳ−Ｋ７２１０により測定されるメルトフローレートが異なる２種以上のポリオレフィン系樹脂を含有する場合、上記ポリオレフィン系樹脂は、エチレン−酢酸ビニル共重合体、低密度ポリエチレン及び直鎖状低密度ポリエチレンからなる群より選択される少なくとも１種であることが好ましく、エチレン−酢酸ビニル共重合体及び直鎖状低密度ポリエチレンから選択される少なくとも１種であることがより好ましい。当該構成とすることにより、Ａ層の表面の算術平均粗さＲａを調整し易くなり、上記Ａ層の表面形状に追従するように流滴層を形成すれば、流滴層の表面のＲａが上記範囲となり、本発明の農業用フィルムの流滴層側の表面のＲａを０．１〜３．０μｍに容易に調整することができる。
【００６８】
上記ポリオレフィン系樹脂が直鎖状低密度ポリエチレンである場合、当該直鎖状低密度ポリエチレンは、ＪＩＳ−Ｋ７２１０により測定されるメルトフローレートが１．７ｇ／１０分以上の直鎖状低密度ポリエチレン（ｉ）と、メルトフローレートが１．７ｇ／１０分未満の直鎖状低密度ポリエチレン（ｉｉ）とを含むことが好ましい。当該構成とすることにより、Ａ層の表面の算術平均粗さＲａを調整し易くなり、上記Ａ層の表面形状に追従するように流滴層を形成すれば、流滴層の表面のＲａが上記範囲となり、本発明の農業用フィルムの流滴層側の表面のＲａを０．１〜３．０μｍに容易に調整することができる。
【００６９】
上記直鎖状低密度ポリエチレン（ｉ）のメルトフローレートの上限は特に限定されず、５０ｇ／１０分が好ましく、４０ｇ／１０分がより好ましく、３０ｇ／１０分が更に好ましく、２０ｇ／１０分が特に好ましい。また、上記直鎖状低密度ポリエチレン（ｉｉ）のメルトフローレートの下限は特に限定されず、０．０１ｇ／１０分が好ましく、０．５ｇ／１０分がより好ましく、１．０ｇ／１０分が更に好ましい。
【００７０】
上記ポリオレフィン系樹脂がエチレン−酢酸ビニル共重合体である場合、当該エチレン−酢酸ビニル共重合体は、ＪＩＳ−Ｋ７２１０により測定されるメルトフローレートが５．０ｇ／１０分以上のエチレン−酢酸ビニル共重合体（ｉ）と、メルトフローレートが５．０ｇ／１０分未満のエチレン−酢酸ビニル共重合体（ｉｉ）とを含むことが好ましい。当該構成とすることにより、Ａ層の表面の算術平均粗さＲａを調整し易くなり、上記Ａ層の表面形状に追従するように流滴層を形成すれば、流滴層の表面のＲａが上記範囲となり、本発明の農業用フィルムの流滴層側の表面のＲａを０．１〜３．０μｍに容易に調整することができる。
【００７１】
上記エチレン−酢酸ビニル共重合体（ｉ）のメルトフローレートの上限は特に限定されず、５０ｇ／１０分が好ましく、４０ｇ／１０分がより好ましく、３０ｇ／１０分が更に好ましく、２０ｇ／１０分が特に好ましい。また、上記エチレン−酢酸ビニル共重合体（ｉｉ）のメルトフローレートの下限は特に限定されず、０．０１ｇ／１０分が好ましく、０．５ｇ／１０分がより好ましく、１．０ｇ／１０分が更に好ましい。
【００７２】
Ａ層中のポリオレフィン系樹脂の含有量は、９０〜１００質量％が好ましく、９５〜９９質量％がより好ましい。Ａ層中のポリオレフィン系樹脂の含有量を上記範囲とすることにより、本発明の農業用フィルムの冬場の結露時の光線透過量がより一層多くなり、太陽光が弱い冬場であっても太陽光線がより一層透過する。
【００７３】
Ａ層は、紫外線吸収剤を含んでいてもよい。紫外線吸収剤としては特に限定されず、従来公知のものを用いることができ、例えば、トリアジン系紫外線吸収剤、ベンゾトリアゾール系紫外線吸収剤、ベンゾフェノール系紫外線吸収剤が挙げられる。
【００７４】
上記紫外線吸収剤は、１種単独で用いてもよいし、２種以上を混合して用いてもよい。
【００７５】
紫外線吸収剤の含有量は、Ａ層に含まれるポリオレフィン系樹脂１００質量部に対して０．１〜１０質量部が好ましく、０．１〜１質量部がより好ましい。該含有量を好ましい範囲に設定することにより、農業用フィルムが紫外線抑制効果をより一層発揮できるとともに紫外線吸収剤のブリードアウトを抑制することができる。
【００７６】
Ａ層は、ピペリジン環の窒素原子に直接又は酸素原子を介して有機基又は有機の官能基が結合したヒンダードアミン系光安定剤を含んでいてもよい（なお、当該ヒンダードアミン系光安定剤はＡ層だけでなく、Ａ層、Ｂ層及びＣ層の少なくとも１層に含めることができ、特にＡ層、Ｂ層及びＣ層の全層に含めることが好ましい。）。なお、前記有機基はそれ自体で反応性の少ない、例えばメチル基などを意味し、前記有機の官能基はそれ自体で反応性を有する官能基を意味する。
【００７７】
このようなヒンダードアミン系光安定剤としては、いわゆるＮＲ型ヒンダードアミン系光安定剤や、ＮＯＲ型ヒンダードアミン系光安定剤が挙げられる。なお、ＮＲ型ヒンダードアミン系光安定剤とは、ヒンダードアミン系光安定剤のうち、ピペリジン環の窒素原子に炭素原子が直接結合しているものをいい、ＮＯＲ型ヒンダードアミン系光安定剤とは、ヒンダードアミン系光安定剤のうち、ピペリジン環の窒素原子に、酸素原子を介して炭素原子が結合しているものをいう。
【００７８】
上記ＮＲ型ヒンダードアミン系光安定剤としては特に限定されず、従来公知のものを用いることができる。例えば、下記式（１）で表されるピペリジン環構造を、分子中に１又は２以上有するＮＲ型ヒンダードアミンが挙げられる。
【００７９】
【化１】
2018164435.tif 000003
【００８０】
ここで、式（１）中、Ｒ１は、ピペリジン環窒素原子に炭素原子が直接結合している有機基、又は有機の官能基である。
【００８１】
上記ピペリジン環窒素原子に炭素原子が直接結合している有機基又は有機の官能基としては、例えば、ピペリジン環窒素原子に炭素原子が直接結合している、炭素数が１以上で且つ少なくとも１以上のメチル基又はメチレン基を含む官能基又は化合物が挙げられる。炭素数が１以上で且つ少なくとも１以上のメチル基又はメチレン基を含む化合物としては、例えばアルキル基が挙げられ、オリゴマーやポリマーも含む。
【００８２】
上記ＮＲ型ヒンダードアミン系光安定剤としては、具体的には、例えば、下記式（２）〜（１０）で表されるものが挙げられる。
【００８３】
【化２】
2018164435.tif 000004
【００８４】
2018164435.tif 000005
【００８５】
2018164435.tif 000006
【００８６】
ここで、式（１０）中、ｎは重合度（繰り返し単位の数）を示す自然数である。
【００８７】
上記ＮＲ型ヒンダードアミン系光安定剤としては、上記式（１０）で表されるものを用いることが好ましい。
【００８８】
上記式（１０）で表されるＮＲ型ヒンダードアミン系光安定剤の市販品としては、例えば、ＢＡＳＦ社製  商品名「ＴＩＮＵＶＩＮ  ６２２」等が挙げられる。
【００８９】
上記ＮＲ型ヒンダードアミン系光安定剤の分子量は、１０００以上が好ましく、２０００以上がより好ましい。該分子量は好ましい範囲に設定することにより、ＮＲ型ヒンダードアミン系光安定剤のブリードアウトを抑制し易くなる。なお、上記分子量の上限は特に限定されないが、５０００程度である。
【００９０】
上記ＮＯＲ型ヒンダードアミン系光安定剤としては特に限定されず、従来公知のものを用いることができる。例えば、下記式（１１）で表されるピペリジン環構造を、分子中に１又は２以上有するＮＯＲ型ヒンダードアミンが挙げられる。
【００９１】
【化３】
2018164435.tif 000007
【００９２】
ここで、式（１１）中、Ｒ２は有機基、又は有機の官能基である。
【００９３】
上記有機基、又は有機の官能基としては、例えば、炭素数が１以上で且つ少なくとも１以上のメチル基又はメチレン基を含む官能基又は化合物を表す。炭素数が１以上で且つ少なくとも１以上のメチル基又はメチレン基を含む化合物は、オリゴマーやポリマーも含む。具体的には、Ｒ２としては、例えば、プロピル基等のアルキル基が挙げられる。
【００９４】
上記ＮＯＲ型ヒンダードアミン系光安定剤としては、具体的には、例えば、下記式（１２）で表されるものが挙げられる。
【００９５】
【化４】
2018164435.tif 000008
【００９６】
上記式（１２）で表されるＮＯＲ型ヒンダードアミン系光安定剤の市販品としては、例えば、ＢＡＳＦ社製  商品名「ＴＩＮＵＶＩＮ  １２３」等が挙げられる。また、他のＮＯＲ型ヒンダードアミン系光安定剤の市販品としては、例えば、ＢＡＳＦ社製  商品名「ＴＩＮＵＶＩＮ  ＮＯＲ  ３７１」、株式会社ＡＤＥＫＡ製  商品名「ＬＡ−８１」、クラリアントジャパン社製  商品名「Ｈｏｓｔａｖｉｎ  ＮＯＷ」が挙げられる。
【００９７】
上記ＮＯＲ型ヒンダードアミン系光安定剤の分子量は、１０００以上が好ましく、２０００以上がより好ましい。該分子量は好ましい範囲に設定することにより、ＮＯＲ型ヒンダードアミン系光安定剤のブリードアウトを抑制し易くなる。なお、上記分子量の上限は特に限定されないが、５０００程度である。
【００９８】
Ａ層は、更に、ピペリジン環の窒素原子に直接水素原子が結合したヒンダードアミン系光安定剤（いわゆるＮＨ型ヒンダードアミン系光安定剤）を含んでいてもよい（なお、当該ヒンダードアミン系光安定剤はＡ層だけでなく、Ａ層、Ｂ層及びＣ層の少なくとも１層に含めることができ、特にＡ層、Ｂ層及びＣ層の全層に含めることが好ましい。）。当該ヒンダードアミン系光安定剤を含むことにより、本発明の農業用フィルムがより耐候性に優れる。
【００９９】
ＮＨ型ヒンダードアミン系光安定剤としては特に限定されず、従来公知のものを用いることができる。例えば、下記式（１３）で表されるピペリジン環構造を、分子中に１又は２以上有するＮＨ型ヒンダードアミンが挙げられる。
【０１００】
【化５】
2018164435.tif 000009
【０１０１】
上記ＮＨ型ヒンダードアミン系光安定剤としては、具体的には、例えば、下記式（１４）〜（１７）で表されるものが挙げられる。
【０１０２】
【化６】
2018164435.tif 000010
【０１０３】
式（１４）中、Ｒ３は、ｔｅｒｔ−オクチル基であり、ｎは重合度を示す自然数である。
【０１０４】
【化７】
2018164435.tif 000011
【０１０５】
上記ＮＨ型ヒンダードアミン系光安定剤としては、上記式（１４）で表されるものを用いることが好ましい。
【０１０６】
上記式（１４）で表されるＮＨ型ヒンダードアミン系光安定剤の市販品としては、例えば、ＢＡＳＦ社製  商品名「ＣＨＩＭＡＳＳＯＲＢ  ９４４」等が挙げられる。
【０１０７】
上記ＮＨ型ヒンダードアミン系光安定剤の分子量は、１０００以上が好ましく、２０００以上がより好ましい。該分子量は好ましい範囲に設定することにより、ＮＨ型ヒンダードアミン系光安定剤のブリードアウトを抑制し易くなる。なお、上記分子量の上限は特に限定されないが、５０００程度である。
【０１０８】
上記ヒンダードアミン系光安定剤は、ＮＲ型ヒンダードアミン系光安定剤及びＮＨ型ヒンダードアミン系光安定剤を含むことが好ましい。このようなヒンダードアミン系光安定剤を用いることで、本発明の農業用フィルムが初期紫外線劣化抑制効果に優れ、且つ、紫外線劣化抑制効果の長期持続性に優れる。ＮＲ型ヒンダードアミン系光安定剤及びＮＨ型ヒンダードアミン系光安定剤を含むヒンダードアミン系光安定剤（ＮＲ−ＮＨ混合型ヒンダードアミン系光安定剤）としては、例えば、ＢＡＳＦ社製  商品名「ＴＩＮＵＶＩＮ  ６２２」とＢＡＳＦ社製  商品名「ＣＨＩＭＡＳＳＯＲＢ  ９４４」との混合物であるＢＡＳＦ社製  商品名「ＴＩＮＵＶＩＮ  ７８３」などが挙げられる。
【０１０９】
Ａ層が上記ヒンダードアミン系光安定剤を含有する場合の含有量は、Ａ層に含まれるポリオレフィン系樹脂１００質量部に対して０．１〜３質量部が好ましく、０．２〜２質量部がより好ましく、０．３〜１質量部が更に好ましい。該含有量を好ましい範囲に設定することにより、農業用フィルムがより一層良好な耐候性を示すことができる。
【０１１０】
Ａ層は、本発明の効果を損なわない範囲内であれば、酸化防止剤、熱安定剤、滑剤、帯電防止剤、着色剤、アンチブロッキング剤、防霧剤等の他の添加剤を含んでいてもよい。
【０１１１】
Ａ層は、無機保温剤等の無機粒子を含有していてもよいが、無機粒子を含有しないことが好ましい。Ａ層が無機粒子を含有しないことにより、本発明の農業用フィルムの冬場の結露時の光線透過量がより一層多くなり、太陽光が弱い冬場であっても太陽光線がより一層透過する。
【０１１２】
Ａ層の厚みは、５〜５０μｍが好ましく、１０〜４０μｍがより好ましく、１５〜３０μｍが更に好ましい。Ａ層の厚みが上記範囲であることにより、成形時（製膜時）のフィルムの蛇行をより一層抑制することができ、成形性をより一層向上させることができる。
【０１１３】
（Ｂ層）
本発明の農業用フィルムは、Ａ層の流滴層が形成される側とは反対側に、Ｂ層を有していてもよい。Ｂ層は、ポリオレフィン系樹脂を含む単層又は複数の層からなり、少なくとも１層に無機保温剤を含むことが好ましい。
【０１１４】
Ｂ層に含まれるポリオレフィン系樹脂としては特に限定されず、上記Ａ層に使用できるポリオレフィン系樹脂と同一のものを用いることができる。Ｂ層に含まれるポリオレフィン系樹脂は、農業用フィルムがより一層柔軟になり、展張作業がより一層し易くなる点で、エチレン−酢酸ビニル共重合体が好ましい。
【０１１５】
Ｂ層は、上記ポリオレフィン系樹脂を含む単層又は複数の層からなる。Ｂ層の層数は特に限定されないが、１〜３層であることが好ましく、１層であることがより好ましい。
【０１１６】
本発明の農業用フィルムのＢ層を構成する少なくとも１層には、無機保温剤を含有していてもよい。
【０１１７】
上記無機保温剤としては、特に限定されないが、例えば、タルク、ハイドロタルサイト類、マグネシウムアルミニウム系複合水酸化物、リチウムアルミニウム系複合水酸化物、その他複合水酸化物（アルカリ金属、アルカリ土類金属、遷移金属、２Ｂ族元素、珪素以上の４Ｂ族元素から選ばれる少なくとも２種以上の元素を有する水酸化物）等が挙げられる。これらは単独で使用しても２種以上併用してもよい。中でも、マグネシウムアルミニウム系複合水酸化物を用いることが好ましい。上記無機保温剤を含有することで、得られる農業用フィルムの保温性が向上し、フィルム成形時の押出変動を改善することができる。ここで、押出変動とは、例えば、防曇剤（例えば高級脂肪酸エステル類）等を練り込んだフィルムを押出成膜する場合に低融点の防曇剤が多く練り込まれていると押出機内でスリップしてしまい樹脂組成物が押し出しにくくなるような現象をいう。
【０１１８】
Ｂ層中の無機保温剤の含有量は、Ｂ層に含まれるポリオレフィン系樹脂１００質量部に対して１〜２０質量部であることが好ましく、５〜１５質量部であることがより好ましい。該含有量を好ましい範囲に設定することにより、農業用フィルムに良好な保温性を付与し易いことに加えて、押出成形による製膜時の押出変動改善効果が十分に得られ易い。
【０１１９】
Ｂ層は、ピペリジン環の窒素原子に直接又は酸素原子を介して有機基又は有機の官能基が結合したヒンダードアミン系光安定剤を含んでいてもよい。当該ヒンダードアミン系光安定剤を含むことにより、本発明の農業用フィルムが、より一層耐候性に優れる。
【０１２０】
Ｂ層に含まれるピペリジン環の窒素原子に直接又は酸素原子を介して有機基又は有機の官能基が結合したヒンダードアミン系光安定剤としては特に限定されず、上記Ａ層に使用できるものと同一のものを用いることができる。
【０１２１】
Ｂ層は、更にピペリジン環の窒素原子に水素原子が直接結合したヒンダードアミン系光安定剤を含んでいてもよい。当該ヒンダードアミン系光安定剤を含むことにより、本発明の農業用フィルムが、より一層耐候性に優れる。
【０１２２】
Ｂ層に含まれるピペリジン環の窒素原子に水素原子が直接結合したヒンダードアミン系光安定剤としては特に限定されず、上記Ａ層に使用できるものと同一のものを用いることができる。
【０１２３】
Ｂ層が複数の層からなる場合、ピペリジン環の窒素原子に水素原子が結合したヒンダードアミン系光安定剤は、上記ピペリジン環の窒素原子に直接又は酸素原子を介して有機基又は有機の官能基が結合したヒンダードアミン系光安定剤と同一の層に含まれていてもよいし、異なる層に含まれていてもよい。同一層内でヒンダードアミン系光安定剤の濃度が高くなることに起因する押出効果により生じる、ヒンダードアミン系光安定剤のブリードアウトを抑制することができる点から、上記ピペリジン環の窒素原子に水素原子が結合したヒンダードアミン系光安定剤は、ピペリジン環の窒素原子に直接又は酸素原子を介して有機基又は有機の官能基が結合したヒンダードアミン系光安定剤とは異なる層に含まれることが好ましい。
【０１２４】
Ｂ層は、前述の通り、本発明の効果を損なわない範囲であれば、ピペリジン環の窒素原子に直接又は酸素原子を介して有機基又は有機の官能基が結合したヒンダードアミン系光安定剤及び／又はピペリジン環の窒素原子に水素原子が直接結合したヒンダードアミン系光安定剤を含有していてもよい。それらの種類及び含有量については、Ａ層における説明と基本的に同じである。Ｂ層に含まれるヒンダードアミン光安定剤の含有量については、Ｂ層が複数の層からなる場合であっても当該Ｂ層（Ｂ層全体）に含まれるポリオレフィン系樹脂１００質量部に対する質量部を意味する。
【０１２５】
Ｂ層は、本発明の効果を損なわない範囲内であれば、酸化防止剤、熱安定剤、滑剤、帯電防止剤、着色剤、アンチブロッキング剤、防曇剤、防霧剤等の他の添加剤を含んでいてもよい。
【０１２６】
Ｂ層の厚みは、４０〜１２０μｍが好ましく、５０〜１１０μｍがより好ましく、６０〜１００μｍが更に好ましい。Ｂ層の厚みが上記範囲であることにより、本発明の農業用フィルムに適度なコシを付与することができ、より一層良好な取扱い性及び施工性が得られ易くなる。
【０１２７】
（Ｃ層）
本発明の農業用フィルムは、Ｂ層の面のうち、Ａ層が積層される側の面とは反対側の面に、Ｃ層を有していてもよい。Ｃ層は、ポリオレフィン系樹脂を含むことが好ましい。
【０１２８】
Ｃ層に含まれるポリオレフィン系樹脂としては特に限定されず、上記Ａ層に使用できるポリオレフィン系樹脂と同一のものを用いることができる。
【０１２９】
Ｃ層は、ピペリジン環の窒素原子に直接又は酸素原子を介して有機基又は有機の官能基が結合したヒンダードアミン系光安定剤を含んでいてもよい。当該ヒンダードアミン系光安定剤を含むことにより、本発明の農業用フィルムが、より耐候性に優れる。
【０１３０】
Ｃ層に含まれるピペリジン環の窒素原子に直接又は酸素原子を介して有機基又は有機の官能基が結合したヒンダードアミン系光安定剤としては特に限定されず、上記Ａ層に使用できるものと同一のものを用いることができる。
【０１３１】
Ｃ層は、更にピペリジン環の窒素原子に直接水素原子が結合したヒンダードアミン系光安定剤を含んでいてもよい。当該ヒンダードアミン系光安定剤を含むことにより、本発明の農業用フィルムが、より耐候性に優れる。Ｃ層に含まれるピペリジン環の窒素原子に直接水素原子が結合したヒンダードアミン系光安定剤としては特に限定されず、上記Ａ層に使用できるものと同一のものを用いることができる。
【０１３２】
Ｃ層は、前述の通り、本発明の効果を損なわない範囲であれば、ピペリジン環の窒素原子に直接又は酸素原子を介して有機基又は有機の官能基が結合したヒンダードアミン系光安定剤及び／又はピペリジン環の窒素原子に水素原子が直接結合したヒンダードアミン系光安定剤を含有していてもよい。それらの種類及び含有量については、Ａ層における説明と同じである。
【０１３３】
Ｃ層は、本発明の効果を損なわない範囲内であれば、無機保温剤、酸化防止剤、熱安定剤、滑剤、帯電防止剤、着色剤、アンチブロッキング剤、防曇剤、防霧剤等の他の添加剤を含んでいてもよい。
【０１３４】
上記無機保温剤としては、特に限定されないが、例えば、タルク、ハイドロタルサイト類、マグネシウムアルミニウム系複合水酸化物、リチウムアルミニウム系複合水酸化物、その他複合水酸化物（アルカリ金属、アルカリ土類金属、遷移金属、２Ｂ族元素、珪素以上の４Ｂ族元素から選ばれる少なくとも２種以上の元素を有する水酸化物）等が挙げられる。これらは単独で使用しても２種以上併用してもよい。中でも、マグネシウムアルミニウム系複合水酸化物を用いることが好ましい。無機保温剤を含有することで、得られる農業用フィルムの保温性が向上するとともに、フィルム成形時の押出変動を改善することができる。樹脂組成物に無機保温剤が含まれていると押出変動が抑制される効果が得られる。
【０１３５】
Ｃ層の厚みは、５〜５０μｍが好ましく、１０〜４０μｍがより好ましく、１５〜３０μｍが更に好ましい。Ｃ層の厚みが上記範囲であることにより、本発明の農業用フィルムの強度をより一層向上させることができる。
【０１３６】
本発明の農業用フィルムが無機保温剤を含有する場合、当該無機保温剤の含有量は、ポリオレフィン系樹脂１００質量部に対して１〜１０質量部であることが好ましく、３〜８質量部であることがより好ましい。該含有量を好ましい範囲に設定することにより、農業用フィルムに良好な保温性を付与し易いことに加えて、押出成形による製膜時の押出変動改善効果が十分に得られ易い。
【０１３７】
本発明の農業用フィルムが上記ヒンダードアミン系光安定剤を含有する場合、当該ヒンダードアミン系光安定剤の含有量は、ポリオレフィン系樹脂１００質量部に対して０．１〜１０質量部であることが好ましく、０．２〜５質量部がより好ましく、０．３〜３質量部が更に好ましい。該含有量を好ましい範囲に設定することにより、農業用フィルムの良好な耐候性を確保できることに加えて、光安定剤の含有量が適切な範囲であることで農業用フィルムに含まれる紫外線吸収剤のブリードアウトを抑制することができる。
【０１３８】
本発明の農業用フィルムは、乾燥時のヘイズ値（Ｈｚｄ）が１０〜５０％であることが好ましく、２０〜４５％であることがより好ましく、２５〜４０％であることが更に好ましい。乾燥時のヘイズ値が上記範囲であることにより、夏場の乾燥時に光線透過量をより一層抑制することができ、栽培物の葉焼けをより一層抑制することができる。
【０１３９】
なお、本明細書において、上記乾燥時のヘイズ値は、本発明の農業用フィルムの流滴層側の表面から、ＪＩＳ  Ｋ７１３６に準拠して、［プラスチック−透明材料のヘーズの求め方］に従ってヘイズメーターを使用して測定した値である。
【０１４０】
本発明の農業用フィルムは、結露時のヘイズ値（Ｈｚｗ）が２０％未満であることが好ましく、１５％以下であることがより好ましい。乾燥時のヘイズ値が上記範囲であることにより、冬場の結露時に光線透過量がより一層多くなり、太陽光が弱い冬場であっても太陽光線がより一層透過する。また、上記結露時のヘイズ値の下限は特に限定されず、１％が好ましく、５％がより好ましく、１０％が更に好ましい。
【０１４１】
なお、本明細書において、上記結露時のヘイズ値の測定方法は、以下の通りである。すなわち、結露時を想定して、本発明の農業用フィルムの流滴層側の表面から流動パラフィンを滴下し、ガラス板を被せて結露時のヘイズ値の測定用試料を調製する。測定用試料のガラス板の方向から、ＪＩＳ  Ｋ７１３６に準拠して、［プラスチック−透明材料のヘーズの求め方］に従って測定用試料のヘイズ値をヘイズメーターを使用して測定する。
【０１４２】
本発明の農業用フィルムは、乾燥時のヘイズ値（Ｈｚｄ）と結露時のヘイズ値（Ｈｚｗ）との差（Ｈｚｄ−Ｈｚｗ）が１０％以上であることが好ましく、１５％以上であることがより好ましく、２０％以上であることが更に好ましい。乾燥時のヘイズ値と結露時のヘイズ値との差が上記範囲であることにより、夏場の乾燥時に光線透過量が抑制されており、栽培物の葉焼けを抑制することができ、且つ、冬場の結露時に光線透過量が多く、太陽光が弱い冬場であっても太陽光線が十分に透過するので、農業用作物の栽培に好適に用いることができるという本発明の効果をより一層効率よく発揮することができる。また、乾燥時のヘイズ値と結露時のヘイズ値との差が１０％以上であると、結露時の直達光率をより一層十分に確保することができ、農業用トンネル、農業用ハウスの外への光の散乱をより一層抑制することができ、農業用トンネル、農業用ハウスの内部の保温性をより一層向上させることができる。乾燥時のヘイズ値と結露時のヘイズ値との差の上限は特に限定されず、５０％が好ましく、４５％がより好ましく、４０％が更に好ましく、３０％が特に好ましい。
【０１４３】
本発明の農業用フィルムの厚みは特に限定されないが、３０〜３００μｍが好ましく、４０〜２００μｍがより好ましく、５０〜１５０μｍが更に好ましい。該厚みを好ましい範囲に設定することにより、農業用フィルムが適度なコシを有し、良好な取扱い性と施工性が得られ易くなる。
【０１４４】
上記Ａ層、Ｂ層、及びＣ層の厚み比は、Ａ層：Ｂ層：Ｃ層＝１：１：１〜１：６：１であることが好ましく、１：２：１〜１：４：１がより好ましい。
【０１４５】
本発明の農業用フィルムは、各層の間に接着剤層等の他の層を有していてもよいが、冬場の結露時に光線透過量を確保することができる点で、他の層を有しない層構成であることが好ましい。また、本発明の農業用フィルムは、流滴層の、Ａ層が積層される面とは反対側の面に、表面保護層等の他の層を有していてもよいが、冬場の結露時に光線透過量が多く、太陽光が弱い冬場であっても太陽光線が十分に透過するとの効果をより一層発揮し易い点で、最表面に流滴層を有する層構成であることが好ましい。
【０１４６】
本発明は、また、上記農業用フィルムを有する農業用ハウス、農業用カーテン又は農業用トンネルでもある。上記農業用フィルムを、流滴層側の表面を内側にして農業用ハウス、農業用カーテン又は農業用トンネルに展張することで、夏場の乾燥時に光線透過量が抑制され、栽培物の葉焼けを抑制することができ、且つ、冬場の結露時に光線透過量が多く、太陽光が弱い冬場であっても太陽光線が十分に透過するので、本発明の農業用ハウス、農業用カーテン又は農業用トンネルは、農業用作物の栽培に好適である。
【実施例】
【０１４７】
以下、本発明の実施例について説明する。本発明は、下記の実施例に限定されない。
【０１４８】
実施例及び比較例
３層押出機のそれぞれの押出機内に、Ａ層、Ｂ層、及びＣ層の各層が表１に記載の配合となるようにポリオレフィン系樹脂１００質量部に対して、光安定剤及びマグネシウムアルミニウム系複合水酸化物を投入し、溶融混練した。
【０１４９】
なお、表１で用いられる各原料は、表２に示すものを用いた。
【０１５０】
Ａ層、Ｂ層、及びＣ層の各層の厚さがＡ層：Ｂ層：Ｃ層＝１：３：１（厚み比２０：６０：２０）になるようインフレーション法で３層を共押出しし、厚さ１５０μｍの積層体を得た。
【０１５１】
流滴層が表１に示す配合となるように、溶媒である水に、バインダー樹脂及び親水性無機フィラーを添加し、防曇性組成物を調製した。防曇性組成物の配合は、親水性無機フィラー４質量％、バインダー樹脂２質量％、溶媒９４質量％であった。上記のようにして調製した積層体のＡ層上に、防曇性組成物を塗布して７０℃で１分間乾燥させて、厚さ１．０μｍの流滴層を形成し、農業用フィルムを製造した。
【０１５２】
得られた実施例及び比較例の農業用フィルムについて、以下の評価を行った。
【０１５３】
＜農業用フィルムの表面の算術平均粗さＲａ＞
ＪＩＳ  Ｂ０６０１：２０１３に準拠した測定方法により農業用フィルムの流滴層側の表面の算術平均粗さＲａを測定した。
【０１５４】
＜乾燥時のヘイズ値（Ｈｚｄ）＞
農業用フィルムの流滴層側の表面から、ＪＩＳ  Ｋ７１３６に準拠して、［プラスチック−透明材料のヘーズの求め方］に従って乾燥時の農業用フィルムのヘイズ値をヘイズメーターを使用して測定した。
【０１５５】
＜結露時のヘイズ値（Ｈｚｗ）＞
結露時を想定して、農業用フィルムの流滴層側の表面から流動パラフィンを滴下し、ガラス板を被せて結露時のヘイズ値の測定用試料を調製した。測定用試料のガラス板の方向から、ＪＩＳ  Ｋ７１３６に準拠して、［プラスチック−透明材料のヘーズの求め方］に従って測定用試料のヘイズ値をヘイズメーターを使用して測定した。
【０１５６】
＜乾燥時のヘイズ値と結露時のヘイズ値との差（Ｈｚｄ−Ｈｚｗ）＞
上記方法により測定された乾燥時のヘイズ値と結露時のヘイズ値との差を、下記式に基づいて算出した。
（Ｈｚｄ−Ｈｚｗ）（％）＝［乾燥時のヘイズ値（Ｈｚｄ）（％）−結露時のヘイズ値（Ｈｚｗ）（％）］
【０１５７】
＜葉焼け防止性＞
稲の葉に、白熱灯照射ランプを用い、１２０Ｗ、１２時間、稲と白熱灯との距離５０ｃｍの条件で白熱灯を照射した。白熱灯照射後の葉の状態を目視により観察し、下記評価基準に従って評価した。なお、△評価以上であれば、実使用において問題ないと評価される。
○：葉焼けが全く、又は、殆ど見られない。
△：葉焼けがやや見られるが、問題のない程度である。
×：葉焼けが強く発生している。
【０１５８】
＜トンネル内部、カーテン内部、又はハウス内部視認性＞
結露時のトンネル内部、カーテン内部、又はハウス内部の視認性を想定して、視認性を評価した。具体的には、結露時の農業用フィルムの視認性を目視により観察し、下記評価基準に従って評価した。なお、△評価以上であれば、実使用において問題ないと評価される。
○：内部の栽培作物がはっきりと視認できる。
△：内部の栽培作物の輪郭がややぼやけるが、視認できる。
×：内部の栽培作物がぼやけて視認できない。
【０１５９】
＜トンネル内部、カーテン内部、又はハウス内部保温性＞
分光放射計（英弘精機株式会社製：型番ＭＳ−７２０）から５０ｃｍ離れた位置に１２０Ｗの白熱灯を設置した。分光放射計と白熱灯との間に、分光放射計から２０ｃｍの位置に農業用フィルムを設置し、波長１０５０ｎｍでの光の放射量（強度）Ａ１を測定した。また、フィルムを設置しない場合の波長１０５０ｎｍでの光の放射量（強度）Ａ０を測定した。下記式に従って放射量比率を算出し、下記評価基準に従って評価した。
（放射量比率）（％）＝［Ａ１／Ａ０］×１００
なお、△評価以上であれば、実使用において問題ないと評価される。
○：放射量比率が９５％以上である。
△：放射量比率が９０％以上９５％未満である。
×：放射量比率が９０％未満である。
【０１６０】
結果を表１に示す。
【０１６１】
【表１】
2018164435.tif 000012
【０１６２】
【表２】
2018164435.tif 000013
【０１６３】
なお、表２において、ＭＦＲは、ＪＩＳ Ｋ−７２１０に準拠して温度１９０℃、荷重２１．１８Ｎの条件で測定された値である。
【符号の説明】
【０１６４】
１…農業用フィルム
２…流滴層
３…Ａ層
４…Ｂ層
５…Ｃ層 
【図１】
2018164435.tif 000014
【図２】
2018164435.tif 000015